(57)【要約】      （修正有）【課題】鏡の意匠性や清掃性の向上など鏡の付加価値を向上させることができる鏡の固定構造を提供する。【解決手段】鏡の固定構造２は、反射面が裏面の側に設けられた鏡３を裏面に対向する被固定面に固定する鏡の固定構造２であって、裏面と交差する側面３７、３８に設けられた溝３７１、３８１を有する鏡３と、裏面の反対側に形成された表面３６には掛からない状態で溝３７１、３８１に係止される係止部４１を有し、両端部のうちの少なくとも一方の端部が被固定面に固定される固定具４と、を備える。溝３７１、３８１が延びた方向において、溝３７１、３８１の長さと、係止部４１の長さと、は、側面３７、３８の辺３７８、３８８の長さＬ５、Ｌ６に略等しい。【選択図】図２
2019122750.tif 000002
【特許請求の範囲】
【請求項１】
反射面が裏面の側に設けられた鏡を前記裏面に対向する被固定面に固定する鏡の固定構造であって、
前記裏面と交差する側面に設けられた孔または溝を有する鏡と、
前記裏面の反対側に形成された表面には掛からない状態で前記孔または前記溝に係止される係止部を有し、両端部のうちの少なくとも一方の端部が前記被固定面に固定される固定具と、
を備え、
前記孔または前記溝が延びた方向において、前記孔または前記溝の長さと、前記係止部の長さと、は、前記側面の辺の長さに略等しいことを特徴とする鏡の固定構造。
【請求項２】
前記鏡が前記被固定面に固定された状態において、前記側面は、前記鏡の下側の端面を含むことを特徴とする請求項１に記載の鏡の固定構造。
【請求項３】
前記係止部は、前記孔または前記溝に係止される線材であることを特徴とする請求項１または２に記載の鏡の固定構造。
【請求項４】
前記線材は、前記孔または前記溝の内部に収まることを特徴とする請求項３に記載の鏡の固定構造。
【請求項５】
前記係止部は、前記孔または前記溝に係止される板状部材であることを特徴とする請求項１または２に記載の鏡の固定構造。
【請求項６】
前記鏡は、前記孔または前記溝が延びた方向の端部において、前記孔または前記溝が設けられていない残留部を有することを特徴とする請求項１〜５のいずれか１項に記載の鏡の固定構造。
【発明の詳細な説明】
【技術分野】
【０００１】
本発明は、被固定面に鏡を固定する鏡の固定構造に関する。
【背景技術】
【０００２】
一般的に、例えば接着剤や両面接着テープなどを用いた接着により、壁面などの被固定面に鏡を固定する鏡の固定構造が存在する。しかし、鏡は、高温多湿な環境下に設置されることがある。また、例えば鏡の清掃時などにおいて、比較的強い力が鏡に加わることがある。そのため、被固定面に対して鏡をより安全あるいは確実に固定するためには、例えばネジなどの締結部材により被固定面に固定される固定具を用いて、鏡を支持し被固定面に固定することが望ましい。
【０００３】
特許文献１には、壁面に鏡を取り付けるための鏡止め具が開示されている。特許文献１に記載された鏡止め具は、壁面に取付け固定される固定部と、上下方向に可動して鏡を保持する爪部と、下方向に爪部を弾性的に保持するように保持力が働くバネ部と、を備え、バネの弾性力を利用して鏡を保持する。
【先行技術文献】
【特許文献】
【０００４】
【特許文献１】特開平９−８４６７４号公報
【発明の概要】
【発明が解決しようとする課題】
【０００５】
しかし、特許文献１に記載された鏡止め具は、爪部の爪掛部が鏡の上部に掛かるように設置される。すなわち、爪部の爪掛部は、鏡の表面の一部を覆う。そのため、鏡の意匠性の向上という点においては、改善の余地がある。また、爪掛部が鏡の表面の一部を覆うため、爪掛部に覆われた鏡の部分には例えば水垢などの汚れが溜まりやすく、清掃者は鏡の表面を拭きにくい。そのため、鏡の清掃性の向上という点においては、改善の余地がある。このように、鏡の固定構造に対しては、鏡の意匠性や清掃性の向上などといった鏡の付加価値の向上が望まれている。
【０００６】
本発明は、前記課題を解決するためになされたものであり、鏡の付加価値を向上させることができる鏡の固定構造を提供することを目的とする。
【課題を解決するための手段】
【０００７】
前記課題は、本発明によれば、反射面が裏面の側に設けられた鏡を前記裏面に対向する被固定面に固定する鏡の固定構造であって、前記裏面と交差する側面に設けられた孔または溝を有する鏡と、前記裏面の反対側に形成された表面には掛からない状態で前記孔または前記溝に係止される係止部を有し、両端部のうちの少なくとも一方の端部が前記被固定面に固定される固定具と、を備え、前記孔または前記溝が延びた方向において、前記孔または前記溝の長さと、前記係止部の長さと、は、前記側面の辺の長さに略等しいことを特徴とする鏡の固定構造により解決される。
【０００８】
前記構成によれば、固定具の係止部は、鏡の表面には掛からない状態で鏡の側面に設けられた孔または溝に係止されている。また、孔または溝が延びた方向において、孔または溝の長さと、係止部の長さと、は、側面の辺の長さに略等しい。そのため、孔または溝、および固定具の係止部は、鏡の側面の辺に沿って一様に存在する。そのため、鏡の側面に孔または溝が設けられ、固定具の係止部が鏡の孔または溝に係止されていても、鏡の利用
者は、孔または溝、および固定具の係止部を認識し難い。また、鏡の表面においてすっきりとした外観が得られるため、鏡のデザインの自由度が高まる。そのため、鏡の意匠性を向上させることができる。また、固定具の係止部が鏡の表面には掛からない状態で鏡の孔または溝に係止されているため、例えば水垢などの汚れが鏡の表面に溜まることを抑えることができるとともに、清掃者は鏡の表面を拭きやすくなる。そのため、鏡の清掃性を向上させることができる。これにより、本発明による鏡の固定構造は、鏡の付加価値を向上させることができる。
【０００９】
好ましくは、前記鏡が前記被固定面に固定された状態において、前記側面は、前記鏡の下側の端面を含むことを特徴とする。
【００１０】
前記構成によれば、鏡が被固定面に固定された状態において、固定具の係止部は、鏡の下側の端面（側面）に形成された孔または溝に係止される。そのため、固定具は、鏡の側面のうちの少なくとも下側の端面（側面）を支持することができる。これにより、本発明による鏡の固定構造は、鏡を安定して被固定面に固定することができる。
【００１１】
好ましくは、前記係止部は、前記孔または前記溝に係止される線材であることを特徴とする。
【００１２】
前記構成によれば、係止部は、線材によって形成され、孔または溝に係止される。そのため、係止部を小さくすることができ、係止部を見えにくくしたり目立たなくしたりすることができる。これにより、鏡の利用者は、孔または溝、および固定具の係止部をより一層認識し難くなる。これにより、鏡の意匠性をより一層向上させることができる。
【００１３】
好ましくは、前記線材は、前記孔または前記溝の内部に収まることを特徴とする。
【００１４】
前記構成によれば、線材は、孔または溝の内部に収まる。すなわち、孔または溝が延びた方向に沿ってみたときに、線材の高さは、孔または溝の深さ以下である。このように、線材が孔または溝の内部に収まることにより、固定具は、鏡の表面の側から見えにくい。これにより、鏡の意匠性をより一層向上させることができる。
【００１５】
好ましくは、前記係止部は、前記孔または前記溝に係止される板状部材であることを特徴とする。
【００１６】
前記構成によれば、係止部が孔または溝に係止される板状部材であるため、すっきりとした外観が得られ、鏡の利用者は、固定具の係止部を認識し難い。
【００１７】
好ましくは、前記鏡は、前記孔または前記溝が延びた方向の端部において、前記孔または前記溝が設けられていない残留部を有することを特徴とする。
【００１８】
前記構成によれば、孔または溝が延びた方向において、孔または溝は、鏡の一方の側面から鏡の他方の側面までは延びていない。すなわち、孔または溝が延びた方向の端部には、孔または溝が設けられていない。そのため、鏡に孔または溝が設けられ、固定具の係止部が鏡の孔または溝に係止されていても、鏡の利用者は、孔または溝、および固定具の係止部を鏡の側面から認識し難い。
【発明の効果】
【００１９】
本発明によれば、鏡の付加価値を向上させることができる鏡の固定構造を提供することができる。
【図面の簡単な説明】
【００２０】
【図１】本発明の第１実施形態に係る鏡の固定構造を表す斜視図である。
【図２】本実施形態に係る鏡の固定構造を表す正面図である。
【図３】図２に表した矢印Ａ１１の方向からみた鏡の側面図である。
【図４】図２に表した切断面Ａ１−Ａ１における断面図である。
【図５】図４に表した領域Ａ２１を拡大した拡大図である。
【図６】本実施形態の変形例に係る鏡の固定構造を表す斜視図である。
【図７】本変形例にかかる鏡の固定構造を表す正面図である。
【図８】本発明の第２実施形態に係る鏡の固定構造を表す斜視図である。
【図９】本実施形態に係る鏡の固定構造を表す正面図である。
【図１０】図９に表した切断面Ａ２−Ａ２における断面図である。
【図１１】本実施形態の変形例に係る鏡の固定構造を表す斜視図である。
【図１２】本変形例にかかる鏡の固定構造を表す正面図である。
【図１３】本実施形態の固定具の第１変形例を説明する断面図である。
【図１４】本実施形態の固定具の第２変形例を説明する断面図である。
【発明を実施するための形態】
【００２１】
以下に、本発明の好ましい実施形態を、図面を参照して詳しく説明する。
なお、以下に説明する実施形態は、本発明の好適な具体例であるから、技術的に好ましい種々の限定が付されているが、本発明の範囲は、以下の説明において特に本発明を限定する旨の記載がない限り、これらの態様に限られるものではない。また、各図面中、同様の構成要素には同一の符号を付して詳細な説明は適宜省略する。
【００２２】
発明の基本態様
図１〜図７に示される本発明による態様の一つは、固定具４によって鏡３、３Ｃを被固定部材９の被固定面９１に固定する鏡の固定構造２、２Ｂに関する。図８〜図１２に示される本発明による別の態様は、固定具４Ａによって鏡３、３Ｄを被固定部材９の被固定面９１に固定する鏡の固定構造２Ａ、２Ｃに関する。
【００２３】
固定具４、４Ａの係止部４１、４１Ａは、鏡３、３Ｃ、３Ｄの表面３６には掛からない状態で鏡３、３Ｃ、３Ｄの側面３７、３８に設けられた孔または溝３７１、３７１Ｃ、３７１Ｄ、３８１、３８１Ｃ、３８１Ｄに係止されている。また、孔または溝３７１、３７１Ｃ、３７１Ｄ、３８１、３８１Ｃ、３８１Ｄが延びた方向において、孔または溝３７１、３７１Ｃ、３７１Ｄ、３８１、３８１Ｃ、３８１Ｄの長さと、係止部４１、４１Ａの長さと、は、側面３７、３８の辺３７８、３８８の長さＬ５、Ｌ６、Ｌ９、Ｌ１０に略等しい。そのため、孔または溝３７１、３７１Ｃ、３７１Ｄ、３８１、３８１Ｃ、３８１Ｄ、および固定具４、４Ａの係止部４１、４１Ａは、鏡３、３Ｃ、３Ｄの側面３７、３８の辺３７８、３８８に沿って一様に存在する。そのため、鏡３、３Ｃ、３Ｄの側面３７、３８に孔または溝３７１、３７１Ｃ、３７１Ｄ、３８１、３８１Ｃ、３８１Ｄが設けられ、固定具４、４Ａの係止部４１、４１Ａが鏡３、３Ｃ、３Ｄの孔または溝３７１、３７１Ｃ、３７１Ｄ、３８１、３８１Ｃ、３８１Ｄに係止されていても、鏡３、３Ｃ、３Ｄの利用者は、孔または溝３７１、３７１Ｃ、３７１Ｄ、３８１、３８１Ｃ、３８１Ｄ、および固定具４、４Ａの係止部４１、４１Ａを認識し難い。また、鏡３、３Ｃ、３Ｄの表面３６においてすっきりとした外観が得られるため、鏡３、３Ｃ、３Ｄのデザインの自由度が高まる。そのため、鏡３、３Ｃ、３Ｄの意匠性を向上させることができる。また、固定具４、４Ａの係止部４１、４１Ａが鏡３、３Ｃ、３Ｄの表面３６には掛からない状態で鏡３、３Ｃ、３Ｄの孔または溝３７１、３７１Ｃ、３７１Ｄ、３８１、３８１Ｃ、３８１Ｄに係止されているため、例えば水垢などの汚れが鏡３、３Ｃ、３Ｄの表面３６に溜まることを抑えることができるとともに、清掃者は鏡３、３Ｃ、３Ｄの表面３６を拭きやすくなる。そのため、鏡３、３Ｃ、３Ｄの清掃性を向上させることができる。このように、本発明による鏡の固定構造２、２Ａ、２Ｂ、２Ｃは、鏡３、３Ｃ、３Ｄの付加価値を向上させることができるとの優れた利点を有するものである。
以下、定義の述べた後、本発明による鏡の固定構造のさらに詳細を説明する。
【００２４】
定義
鏡
本発明による鏡の固定構造によって固定される鏡は、反射面が鏡の裏面の側に設けられたいわゆる「裏面鏡」であり、例えば浴室や脱衣室や洗面化粧室などの高温多湿な環境下に設置されることがある。鏡の具体的な構造については、図面を参照しながら後述する。
【００２５】
孔または溝
本発明による鏡の固定構造によって固定される鏡は、鏡の側面に設けられた孔または溝を有する。孔または溝は、好適には、非貫通の孔または溝である。非貫通とは、一方の端部から他方の端部に向かって掘り下げられて孔または溝が形成されるが、他方の端部にまで至らない状態を意味する。
【００２６】
本発明において、鏡が有する非貫通の溝とは、凹条を意味する。なお、非貫通の溝は、非貫通の孔であってもよい。非貫通の孔の形状は、特には限定されず、例えば、円形、楕円、三角形、四角形、多角形様であってよい。このように、本発明において、溝と孔とは、明確に区別される必要はなく、例えば四角形の非貫通の孔が横長に形成されて溝と解されるような形状であってもよい。本願明細書において、固定具の係止部が挿入かつ係止可能である限りにおいて、孔または溝と呼ぶ。
【００２７】
孔または溝が延びた方向に沿ってみたときの孔または溝の形状は、三角形（Ｖ溝形状）、四角形（矩形状）、半円形（Ｕ溝形状）であってもよく、孔または溝の入り口、すなわち孔または溝の開口部の開口面積よりも開口部の奥における開口面積が大とされた、アリ穴、つまり逆ハの字の形状であってもよい。また、孔または溝が延びた方向に沿ってみたときの孔または溝の形状は、開口部より深さ方向に一定の距離の間、開口面積が変化せず、さらに深い位置では開口面積を入り口の開口面積より大とされた形状であってもよい。
【００２８】
被固定部材および被固定面
本発明による鏡の固定構造において、鏡が固定される部材あるいは構造物を「被固定部材」という。被固定部材としては、例えば浴室や脱衣室や洗面化粧室などの壁が挙げられる。ただし、被固定部材は、浴室、脱衣室および洗面化粧室の壁だけには限定されない。また、本発明による鏡の固定構造において、鏡が固定される被固定部材の表面を「被固定面」という。被固定面としては、例えば浴室や脱衣室や洗面化粧室など壁の表面であって、鏡の利用者が存在する側の壁の表面（内壁面）が挙げられる。ただし、被固定面は、浴室、脱衣室および洗面化粧室の内壁面だけには限定されない。
【００２９】
本発明による鏡の固定構造
以下、本発明による鏡の固定構造について、図面を参照しながら説明する。
図１は、本発明の第１実施形態に係る鏡の固定構造を表す斜視図である。
図２は、本実施形態に係る鏡の固定構造を表す正面図である。
図３は、図２に表した矢印Ａ１１の方向からみた鏡の側面図である。
図４は、図２に表した切断面Ａ１−Ａ１における断面図である。
図５は、図４に表した領域Ａ２１を拡大した拡大図である。
【００３０】
本実施形態に係る鏡の固定構造２は、鏡３と、固定具４と、を備える。本実施形態に係る鏡の固定構造２では、２つの固定具４が用いられている。具体的には、鏡３の側面３７の溝３７１に係止された固定具４と、鏡３の側面３８の溝３８１に係止された固定具４と、が用いられている。ただし、固定具４の設置数は、２つには限定されない。
【００３１】
鏡３は、反射面が鏡３の裏面の側に設けられたいわゆる「裏面鏡」である。すなわち、図３に表したように、鏡３は、ガラス３１と、銀（Ａｇ）を含む銀層３２と、銅（Ｃｕ）を含む銅層３３と、バックコート層３４と、を有する。ガラス３１と、銀層３２と、銅層３３と、バックコート層３４と、は、鏡３の表面３６から鏡３の裏面３５に向かってこの順に配置されている。なお、後述するように、バックコート層３４の裏面側には、オーバーコート層がさらに設けられていてもよい。
【００３２】
本願明細書において「鏡の表面」とは、鏡３が被固定部材９の被固定面９１に固定された状態において鏡３の前に存在する利用者に対向する面をいう。言い換えれば、「鏡の表面」とは、鏡３を利用する利用者が鏡３を眺めたり覗いたりする側の面をいう。本願明細書において「鏡の裏面」とは、鏡３の表面３６とは反対側の面であって、鏡３が被固定面９１に固定された状態において被固定面９１に対向する面をいう。
【００３３】
表面３６から裏面３５に向かう方向のガラス３１の寸法（厚さ）Ｌ１は、例えば約５ｍｍ程度である。表面３６から裏面３５に向かう方向の銀層３２の寸法（厚さ）Ｌ２は、例えば約８０ｎｍ程度である。表面３６から裏面３５に向かう方向の銅層３３の寸法（厚さ）Ｌ３は、例えば約４０ｎｍ程度である。表面３６から裏面３５に向かう方向のバックコート層３４の寸法（厚さ）Ｌ４は、例えば約５０μｍ程度である。
【００３４】
図３に表したように、鏡３の反射面３１１は、銀層３２の面のうちで鏡３の表面３６の側に配置された面であり、ガラス３１に接触している。図３に表した矢印Ａ１２および矢印Ａ１３のように、鏡３の表面３６からガラス３１の内部に入射した光の一部は、反射面３１１において反射し、ガラス３１の内部を進行して鏡３の表面３６から放出される。
【００３５】
銅層３３は、銀層３２を保護する機能を有し、銀層３２が例えば塩化物や硫化物などと反応して腐食することを抑える。すなわち、銅層３３は、犠牲防蝕効果を発揮する。また、バックコート層３４は、銅層３３の防蝕効果よりも高い防蝕効果を有する塗料を含み、銀層３２の腐食をより一層抑える。なお、本実施形態の鏡３の構造は、図３に表した例には限定されず、例えば、防蝕効果を有する塗料を含むオーバーコート層がバックコート層３４の裏面の側にさらに積層された構造であってもよい。
【００３６】
図１、図２、図４および図５に表したように、鏡３は、裏面３５および表面３６と交差する側面３７に設けられた溝３７１と、裏面３５および表面３６と交差する側面３８に設けられた溝３８１と、を有する。側面３７、３８は、例えば「木口」や「こば」など呼ばれる部分であり、鏡３の主面（表面３６および裏面３５）の側方に形成された面である。本実施形態の側面３７、３８は、本発明の「裏面と交差する側面」に相当する。本実施形態においては、鏡３が被固定面９１に固定された状態において、側面３７は鏡３の上側の端面（上端面）に相当し、側面３８は鏡３の下側の端面（下端面）に相当する。すなわち、本発明の「側面」は、裏面３５と交差する側面のうち少なくとも側面３８（下端面）を含む。溝３７１、３８１は、表面３６、裏面３５および側面３７、３８と交差する一方の側面３９１から、側面３９１に対向する他方の側面３９２まで延びている。
【００３７】
固定具４は、金属および樹脂の少なくともいずれかを含む材料により形成された線材であり、溝３７１、３８１に係止された係止部４１を有する。図２に表したように、係止部４１は、固定具４のうちで鏡３の溝３７１、３８１に係止された部分である。
【００３８】
ここで、鏡の表面の一部を覆う止め具により、鏡が被固定面に固定された場合には、鏡の意匠性が損なわれることがある。また、止め具により覆われた鏡の部分には、例えば水垢などの汚れが溜まりやすく、清掃者は鏡の表面を拭きにくい。そのため、鏡の清掃性が損なわれることがある。
【００３９】
これに対して、本実施形態に係る鏡の固定構造２では、図４に表したように、固定具４の係止部４１は、鏡３の表面３６には掛からない状態で溝３７１に係止されている。すなわち、固定具４は、鏡３の表面３６のいずれの部分も覆っていない。そして、固定具４の一方の端部４２は、例えばねじなどの締結部材５により被固定部材９の被固定面９１に固定される。端部４２とは反対側の他方の端部４３は、例えばねじなどの締結部材５により被固定部材９の被固定面９１に固定される。これと同様にして、図４に表したように、鏡３の下端面（側面３８）に配置された固定具４の係止部４１は、鏡３の表面３６には掛からない状態で溝３８１に係止されている。そして、固定具４の両端部（端部４２、４３）は、締結部材５により被固定部材９の被固定面９１に固定される。このように、本実施形態に係る鏡の固定構造２によれば、鏡３は、係止部４１が鏡３の側面３７、３８の溝３７１、３８１に係止された固定具４により、被固定面９１に固定される。
【００４０】
また、図２に表したように、溝３７１が延びた方向において、溝３７１の長さと、係止部４１の長さと、は、側面３７の辺３７８の長さＬ５に略等しい。本願明細書において「略等しい」とは、比較対象物の長さが互いに８０％以上、１００％以下の範囲であること、あるいは比較対象物の長さが互いに８０％以上、１００％未満の範囲であることをいう。具体的には、本実施形態では、溝３７１の長さと、係止部４１の長さと、は、側面３７の辺３７８の長さＬ５の８０％以上、１００％以下である。すなわち、係止部４１は、一方の側面３９１から他方の側面３９２まで延びて形成された溝３７１の略全体にわたって配置されているとともに係止されている。また、溝３８１が延びた方向において、溝３８１の長さと、係止部４１の長さと、は、側面３８の辺３８８の長さＬ６に略等しい。具体的には、本実施形態では、溝３８１の長さと、係止部４１の長さと、は、側面３８の辺３８８の長さＬ６の８０％以上、１００％以下である。すなわち、係止部４１は、一方の側面３９１から他方の側面３９２まで延びて形成された溝３８１の略全体にわたって配置されているとともに係止されている。
【００４１】
なお、側面３７、３８と側面３９１とが交差する角部、および側面３７、３８と側面３９２とが交差する角部の少なくともいずれかに面取り部が設けられている場合には、溝３７１、３８１が延びた方向において、溝３７１、３８１の長さと、係止部４１の長さと、が、側面３７、３８の辺３７８、３８８の長さＬ５、Ｌ６に完全には等しくならないことがある。ただし、本願明細書においては、係止部４１が溝３７１、３８１の略全体にわたって配置されているとともに係止されている限りにおいて、側面３７、３８と側面３９１とが交差する角部、および側面３７、３８と側面３９２とが交差する角部の少なくともいずれかに面取り部が設けられている場合であっても、溝３７１、３８１が延びた方向において、溝３７１、３８１の長さと、係止部４１の長さと、は、側面３７、３８の辺３７８、３８８の長さＬ５、Ｌ６に略等しいものとする。
【００４２】
係止部４１が側面３７（上端面）の溝３７１に係止された形態は、係止部４１が側面３８（下端面）の溝３８１に係止された形態と同様である。また、側面３７の溝３７１に係止された固定具４による鏡３の固定構造は、側面３８の溝３８１に係止された固定具４による鏡３の固定構造と同様である。そこで、本実施形態にかかる鏡の固定構造２についての以下の説明では、側面３７の溝３７１に係止された固定具４による鏡３の固定構造を主として例に挙げる。図５に表したように、係止部４１は、溝３７１の内部に収まっている。すなわち、溝３７１が延びた方向に沿ってみたときに、係止部４１（線材）の高さＬ７（線径）は、溝３７１の深さＬ８以下である。
【００４３】
本実施形態に係る鏡の固定構造２によれば、溝３７１が延びた方向において、溝３７１の長さと、係止部４１の長さと、は、側面３７の辺３７８の長さＬ５に略等しい。そのため、溝３７１、および固定具４の係止部４１は、鏡３の側面３７の辺３７８に沿って一様に存在する。そのため、鏡３の側面３７に溝３７１が設けられ、固定具４の係止部４１が鏡３の溝３７１に係止されていても、鏡３の利用者は、溝３７１、および固定具４の係止部４１を認識し難い。また、鏡３の表面３６においてすっきりとした外観が得られるため、鏡３のデザインの自由度が高まる。そのため、鏡３の意匠性を向上させることができる。また、固定具４の係止部４１が鏡３の表面３６には掛からない状態で鏡３の溝３７１に係止されているため、例えば水垢などの汚れが鏡３の表面３６に溜まることを抑えることができるとともに、清掃者は鏡３の表面３６を拭きやすくなる。そのため、鏡３の清掃性を向上させることができる。これにより、本実施形態に係る鏡の固定構造２は、鏡３の付加価値を向上させることができる。
【００４４】
また、鏡３が被固定面９１に固定された状態において、固定具４の係止部４１は、裏面３５と交差する側面のうち少なくとも側面３８（下端面）に形成された溝３８１に係止される。そのため、固定具４は、鏡３の側面のうちの少なくとも下端面を支持することができる。これにより、本実施形態に係る鏡の固定構造２は、鏡３を安定して被固定面９１に固定することができる。
【００４５】
また、係止部４１は、線材によって形成され、溝３７１に係止される。そのため、係止部４１を小さくすることができ、係止部４１を見えにくくしたり目立たなくしたりすることができる。これにより、鏡３の利用者は、溝３７１、および固定具４の係止部４１をより一層認識し難くなる。これにより、鏡３の意匠性をより一層向上させることができる。
【００４６】
線材によって形成された係止部４１が溝３７１の内部に収まるため、固定具４は、鏡３の表面３６の側から見えにくい。これにより、鏡３の意匠性をより一層向上させることができる。
【００４７】
さらに、図４に表したように、鏡３は、表面３６と側面３７とが交差する角部に設けられた面取り部３７２と、表面３６と側面３８とが交差する角部に設けられた面取り部３８２と、を有していてもよい。面取り部３７２、３８２は、平面や曲面を有しており、複数の曲面が並んだ波面を有していてもよい。すなわち、図４および図５に表した切断面（溝３７１、３８１が延びた方向に対して交差する切断面）において、面取り部３７２、３８２は、直線状や曲線状を呈しており、複数の曲線が並んだ波線を呈していてもよい。この場合には、光が面取り部３７２において屈折したり反射したりする。あるいは、面取り部３７２、３８２が波面を有する場合には、面取り部３７２、３８２において乱反射の効果が得られる。そのため、鏡３の側面３７に溝３７１が設けられ、固定具４の係止部４１が鏡３の溝３７１に係止されていても、溝３７１および係止部４１は、鏡３の表面３６の側から見えにくい。これにより、鏡３の意匠性をより一層向上させることができる。なお、図５に表したように、鏡３は、裏面３５と側面３７とが交差する角部に設けられた面取り部３７３を有していてもよい。
【００４８】
図５に表したように、例えば、面取り部３７２の面取り角Ａ３１（表面３６と面取り部３７２との間の角度）は、４５度である。ただし、面取り角Ａ３１は、４５度には限定されない。表面３６に沿った方向において、面取り部３７２と表面３６とが交差する交差点３７４と、側面３７と、の間の距離（面取り深さ）Ｌ１１は、溝３７１の深さＬ８よりも長い（深い）。
【００４９】
また、図５に表した例では、溝３７１が延びた方向に対して交差する切断面（図４および図５参照）において、面取り部３７２は、直線状を呈する。すなわち、面取り部３７２は、平面を有する。そのため、プリズムと同様の効果が面取り部３７２において得られる。面取り部３７２の一例は、鏡３の表面３６に対する傾斜角度（面取り角）が４５度の傾斜面（いわゆるＣ面）を有する。そのため、溝３７１および係止部４１は、鏡３の表面３６の側からより一層見えにくい。これにより、鏡３の意匠性をより一層向上させることができる。また、面取り部３７２が波面を有する場合には、面取り部３７２において乱反射の効果が得られる。この場合においても、溝３７１および係止部４１は、鏡３の表面３６の側からより一層見えにくい。これにより、鏡３の意匠性をより一層向上させることができる。
【００５０】
また、表面３６に沿った方向において、面取り部３７２の面取り深さＬ１１が溝３７１の深さＬ８よりも深いため、溝３７１および係止部４１は、鏡３の表面３６の側からより一層見えにくい。これにより、鏡３の意匠性をより一層向上させることができる。Ｌ１１＞Ｌ８の例においては、鏡３の表面３６における傾斜角度（面取り角）Ａ３１を４５度以上として、面取り部３７２と側面３７とが交差する交差点３７９ａ（辺３７８のうちの任意点に相当）から、溝３７１の手前側（鏡３の表面３６の側）の内壁面と側面３７とが交差する交差点３７９ｂまでの距離（厚さ）をＬ１２としたときに、Ｌ１２＞Ｌ８となるようにすると、溝３７１および係止部４１が鏡３の表面３６の側からより一層見えにくくなるので、より好ましい。
【００５１】
次に、本実施形態の変形例について説明する。
なお、本実施形態の変形例に係る鏡の固定構造２Ｂの構成要素が、図１〜図５に関して前述した本実施形態に係る鏡の固定構造２の構成要素と同様である場合には、重複する説明は適宜省略し、以下、相違点を中心に説明する。
図６は、本実施形態の変形例に係る鏡の固定構造を表す斜視図である。
図７は、本変形例にかかる鏡の固定構造を表す正面図である。
【００５２】
本変形例に係る鏡の固定構造２Ｂは、鏡３Ｃと、固定具４と、を備える。本変形例の固定具４は、図１〜図５に関して前述した本実施形態の固定具４と同様である。つまり、本変形例の固定具４は、金属および樹脂の少なくともいずれかを含む材料により形成された線材であり、係止部４１を有する。
【００５３】
本変形例の鏡３Ｃは、裏面３５および表面３６と交差する側面３７に設けられた溝３７１Ｃと、裏面３５および表面３６と交差する側面３８に設けられた溝３８１Ｃと、を有する。図６に表したように、溝３７１Ｃは、一方の側面３９１から他方の側面３９２までは延びておらず、側面３７の中央部から側面３９１、３９２の近傍まで延びた後、裏面３５（図３参照）に向かって屈曲し、裏面３５まで延びている。すなわち、溝３７１Ｃが延びた方向に沿ってみたとき、あるいは鏡３Ｃの側面３７の辺３７８に沿ってみたときに、鏡３Ｃの側面３７の両端部には、溝３７１Ｃが設けられていない残留部３７５が設けられている。
【００５４】
また、図６に表したように、溝３８１Ｃは、一方の側面３９１から他方の側面３９２までは延びておらず、側面３８の中央部から側面３９１、３９２の近傍まで延びた後、裏面３５に向かって屈曲し、裏面３５まで延びている。すなわち、溝３８１Ｃが延びた方向に沿ってみたとき、あるいは鏡３Ｃの側面３８の辺３８８に沿ってみたときに、鏡３Ｃの側面３８の両端部には、溝３８１Ｃが設けられていない残留部３８５が設けられている。
【００５５】
図７に表したように、溝３７１Ｃが延びた方向において、溝３７１Ｃの長さＬ２１と、係止部４１の長さと、は、側面３７の辺３７８の長さＬ５に略等しい。具体的には、本変形例では、溝３７１Ｃの長さＬ２１と、係止部４１の長さと、は、側面３７の辺３７８の長さＬ５の８０％以上、１００％未満である。つまり、溝３７１Ｃが延びた方向において、溝３７１Ｃの長さＬ２１は、側面３７の辺３７８の長さＬ５よりもわずかに短い。
【００５６】
また、溝３８１Ｃが延びた方向において、溝３８１Ｃの長さＬ２２と、係止部４１の長さと、は、側面３８の辺３８８の長さＬ６に略等しい。具体的には、本変形例では、溝３８１Ｃの長さＬ２２と、係止部４１の長さと、は、側面３８の辺３８８の長さＬ６の８０％以上、１００％未満である。つまり、溝３８１Ｃが延びた方向において、溝３８１Ｃの長さＬ２２は、側面３８の辺３８８の長さＬ６よりもわずかに短い。
【００５７】
本変形例に係る鏡の固定構造２Ｂでは、固定具４の係止部４１は、鏡３Ｃの表面３６には掛からない状態で溝３７１Ｃに係止されている。すなわち、固定具４は、鏡３Ｃの表面３６のいずれの部分も覆っていない。そして、固定具４の一方の端部４２は、溝３７１Ｃの一方の終端から裏面３５の側に導かれ、例えばねじなどの締結部材５により被固定部材９の被固定面９１に固定される。固定具４の他方の端部４３は、溝３７１Ｃの他方の終端から裏面３５の側に導かれ、例えばねじなどの締結部材５により被固定部材９の被固定面９１に固定される。
【００５８】
本変形例によれば、溝３７１Ｃ、３８１Ｃが延びた方向に沿ってみたとき、あるいは鏡３Ｃの側面３７、３８の辺３７８、３８８に沿ってみたときに、鏡３Ｃの側面３７、３８の両端部には、溝３７１Ｃ、３８１Ｃが設けられていない残留部３７５、３８５が設けられている。そのため、鏡３Ｃの側面３７、３８に溝３７１Ｃ、３８１Ｃが設けられ、固定具４の係止部４１が鏡３Ｃの溝３７１Ｃ、３８１Ｃに係止されていても、鏡３Ｃの利用者は、溝３７１Ｃ、３８１Ｃ、および固定具４の係止部４１を鏡３Ｃの側面３９１、３９２から認識し難い。また、図１〜図５に関して前述した本実施形態に係る鏡の固定構造２の効果と同様の効果が得られる。
【００５９】
次に、本発明の第２実施形態について説明する。
なお、第２実施形態に係る鏡の固定構造２Ａの構成要素が、図１〜図５に関して前述した第１実施形態に係る鏡の固定構造２の構成要素と同様である場合には、重複する説明は適宜省略し、以下、相違点を中心に説明する。
【００６０】
図８は、本発明の第２実施形態に係る鏡の固定構造を表す斜視図である。
図９は、本実施形態に係る鏡の固定構造を表す正面図である。
図１０は、図９に表した切断面Ａ２−Ａ２における断面図である。
【００６１】
本実施形態に係る鏡の固定構造２Ａは、鏡３と、固定具４Ａと、を備える。本実施形態に係る鏡の固定構造２Ａでは、２つの固定具４Ａが用いられている。具体的には、側面３７の溝３７１に係止された固定具４Ａと、側面３８の溝３８１に係止された固定具４Ａと、が用いられている。ただし、固定具４Ａの設置数は、２つには限定されない。図８に表した鏡３は、第１実施形態に係る鏡の固定構造２に関して前述した鏡と同様である。
【００６２】
固定具４Ａは、例えば金属の板状部材のプレス加工に形成された金具であり、係止部４１Ａと、固定部４２Ａと、接続部４３Ａと、を有する。係止部４１Ａは、鏡３の側面３７、３８に形成された溝３７１、３８１に係止されている。すなわち、本実施形態の固定具４Ａの係止部４１Ａは、本発明の「係止部」に相当する。固定部４２Ａは、鏡３の裏面３５と、被固定面９１と、の間に配置され、例えばねじなどの締結部材５により被固定面９１に固定される。接続部４３Ａは、係止部４１Ａと固定部４２Ａとの間に設けられるとともに係止部４１Ａと固定部４２Ａとに接続され、側面３７、３８のうちの少なくとも一部を覆う。すなわち、係止部４１Ａは、接続部４３Ａを介して固定部４２Ａに接続されている。
【００６３】
図８に表したように、固定具４Ａの係止部４１Ａは、鏡３の表面３６には掛からない状態で溝３７１に係止されている。すなわち、固定具４Ａは、鏡３の表面３６のいずれの部分も覆っていない。そして、固定具４Ａの固定部４２Ａは、例えばねじなどの締結部材５により被固定部材９の被固定面９１に固定される。これと同様にして、図８に表したように、鏡３の下端面に配置された固定具４Ａの係止部４１Ａは、鏡３の表面３６には掛からない状態で溝３８１に係止されている。そして、固定具４Ａの固定部４２Ａは、例えばねじなどの締結部材５により被固定部材９の被固定面９１に固定される。このように、本実施形態に係る鏡の固定構造２Ａによれば、鏡３は、係止部４１Ａが鏡３の側面３７、３８の溝３７１、３８１に係止された固定具４Ａにより、被固定面９１に固定される。
【００６４】
本実施形態に係る鏡の固定構造２Ａでは、図９に表したように、溝３７１が延びた方向において、溝３７１の長さと、係止部４１Ａの長さと、は、側面３７の辺３７８の長さＬ９に略等しい。具体的には、本実施形態では、溝３７１の長さと、係止部４１Ａの長さと、は、側面３７の辺３７８の長さＬ９の８０％以上、１００％以下である。すなわち、係止部４１Ａは、一方の側面３９１から他方の側面３９２まで延びて形成された溝３７１の略全体にわたって配置されているとともに係止されている。また、溝３８１が延びた方向において、溝３８１の長さと、係止部４１Ａの長さと、は、側面３８の辺３８８の長さＬ１０に等しい。具体的には、本実施形態では、溝３８１の長さと、係止部４１Ａの長さと、は、側面３８の辺３８８の長さＬ１０の８０％以上、１００％以下である。すなわち、係止部４１Ａは、一方の側面３９１から他方の側面３９２まで延びて形成された溝３８１の略全体にわたって配置されているとともに係止されている。
【００６５】
なお、第１実施形態に係る鏡の固定構造２に関して前述したように、本願明細書においては、係止部４１Ａが溝３７１、３８１の略全体にわたって配置されているとともに係止されている限りにおいて、側面３７、３８と側面３９１とが交差する角部、および側面３７、３８と側面３９２とが交差する角部の少なくともいずれかに面取り部が設けられている場合であっても、溝３７１、３８１が延びた方向において、溝３７１、３８１の長さと、係止部４１Ａの長さと、は、側面３７、３８の辺３７８、３８８の長さＬ９、Ｌ１０に略等しいものとする。
【００６６】
係止部４１Ａが側面３７（上端面）の溝３７１に係止された形態は、係止部４１Ａが側面３８（下端面）の溝３８１に係止された形態と同様である。また、側面３７の溝３７１に係止された固定具４Ａによる鏡３の固定構造は、側面３８の溝３８１に係止された固定具４Ａによる鏡３の固定構造と同様である。そこで、本実施形態にかかる鏡の固定構造２Ａについての以下の説明では、側面３７の溝３７１に係止された固定具４Ａによる鏡３の
固定構造を主として例に挙げる。
【００６７】
本実施形態に係る鏡の固定構造２Ａによれば、溝３７１が延びた方向において、溝３７１の長さと、係止部４１Ａの長さと、は、側面３７の辺３７８の長さＬ９に略等しい。そのため、溝３７１、および固定具４Ａの係止部４１Ａは、鏡３の側面３７の辺３７８に沿って一様に存在する。そのため、鏡３の側面３７に溝３７１が設けられ、固定具４Ａの係止部４１Ａが鏡３の溝３７１に係止されていても、鏡３の利用者は、溝３７１、および固定具４Ａの係止部４１Ａを認識し難い。また、鏡３の表面３６においてすっきりとした外観が得られるため、鏡３のデザインの自由度が高まる。そのため、鏡３の意匠性を向上させることができる。また、固定具４の係止部４１Ａが鏡３の表面３６には掛からない状態で鏡３の溝３７１に係止されているため、例えば水垢などの汚れが鏡３の表面３６に溜まることを抑えることができるとともに、清掃者は鏡３の表面３６を拭きやすくなる。そのため、鏡３の清掃性を向上させることができる。これにより、本実施形態に係る鏡の固定構造２Ａは、鏡３の付加価値を向上させることができる。
【００６８】
また、鏡３が被固定面９１に固定された状態において、固定具４Ａの係止部４１Ａは、裏面３５と交差する側面のうち少なくとも側面３８（下端面）に形成された溝３８１に係止される。そのため、固定具４Ａは、鏡３の側面のうちの少なくとも下端面を支持することができる。これにより、本実施形態に係る鏡の固定構造２Ａは、鏡３を安定して被固定面９１に固定することができる。
【００６９】
さらに、図１０に表したように、鏡３は、表面３６と側面３７とが交差する角部に設けられた面取り部３７２と、表面３６と側面３８とが交差する角部に設けられた面取り部３８２と、を有していてもよい。面取り部３７２、３８２は、平面や曲面を有しており、複数の曲面が並んだ波面を有していてもよい。すなわち、図１０に表した切断面（溝３７１、３８１が延びた方向に対して交差する切断面）において、面取り部３７２、３８２は、直線状や曲線状を呈しており、複数の曲線が並んだ波線を呈していてもよい。この場合には、光が面取り部３７２において屈折したり反射したりする。あるいは、面取り部３７２、３８２が波面を有する場合には、面取り部３７２、３８２において乱反射の効果が得られる。そのため、鏡３の側面３７に溝３７１が設けられ、固定具４Ａの係止部４１Ａが鏡３の溝３７１に係止されていても、溝３７１および係止部４１Ａは、鏡３の表面３６の側から見えにくい。これにより、鏡３の意匠性をより一層向上させることができる。
【００７０】
また、本実施形態の固定具４Ａは、例えば金属の板状部材のプレス加工に形成された金具である。そのため、すっきりとした外観が得られ、鏡３の利用者は、固定具４Ａの係止部４１Ａを認識し難い。
【００７１】
次に、本実施形態の変形例について説明する。
なお、本実施形態の変形例に係る鏡の固定構造２Ｃの構成要素が、図８〜図１０に関して前述した本実施形態に係る鏡の固定構造２Ａの構成要素と同様である場合には、重複する説明は適宜省略し、以下、相違点を中心に説明する。
図１１は、本実施形態の変形例に係る鏡の固定構造を表す斜視図である。
図１２は、本変形例にかかる鏡の固定構造を表す正面図である。
【００７２】
本変形例に係る鏡の固定構造２Ｃは、鏡３Ｄと、固定具４Ａと、を備える。本変形例の固定具４Ａは、図８〜図１０に関して前述した本実施形態の固定具４Ａと同様である。つまり、本変形例の固定具４Ａは、例えば金属の板状部材のプレス加工に形成された金具であり、係止部４１Ａと、固定部４２Ａと、接続部４３Ａと、を有する。
【００７３】
本変形例の鏡３Ｄは、裏面３５および表面３６と交差する側面３７に設けられた溝３７１Ｄと、裏面３５および表面３６と交差する側面３８に設けられた溝３８１Ｄと、を有する。図１１に表したように、溝３７１Ｄは、一方の側面３９１から他方の側面３９２までは延びておらず、側面３７の中央部から側面３９１、３９２の近傍まで延びている。すなわち、溝３７１Ｄが延びた方向に沿ってみたとき、あるいは鏡３Ｄの側面３７の辺３７８に沿ってみたときに、鏡３Ｄの側面３７の両端部には、溝３７１Ｄが設けられていない残留部３７５が設けられている。
【００７４】
また、図１１に表したように、溝３８１Ｄは、一方の側面３９１から他方の側面３９２までは延びておらず、側面３８の中央部から側面３９１、３９２の近傍まで延びている。すなわち、溝３８１Ｄが延びた方向に沿ってみたとき、あるいは鏡３Ｄの側面３８の辺３８８に沿ってみたときに、鏡３Ｄの側面３８の両端部には、溝３８１Ｄが設けられていない残留部３８５が設けられている。
【００７５】
図１２に表したように、溝３７１Ｄが延びた方向において、溝３７１Ｄの長さＬ２３と、係止部４１Ａの長さと、は、側面３７の辺３７８の長さＬ９に略等しい。具体的には、本変形例では、溝３７１Ｄの長さＬ２３と、係止部４１Ａの長さと、は、側面３７の辺３７８の長さＬ９の８０％以上、１００％未満である。つまり、溝３７１Ｄが延びた方向において、溝３７１Ｄの長さＬ２３は、側面３７の辺３７８の長さＬ９よりもわずかに短い。
【００７６】
また、溝３８１Ｄが延びた方向において、溝３８１Ｄの長さＬ２４と、係止部４１Ａの長さと、は、側面３８の辺３８８の長さＬ１０に略等しい。具体的には、本変形例では、溝３８１Ｃの長さＬ２４と、係止部４１Ａの長さと、は、側面３８の辺３８８の長さＬ１０の８０％以上、１００％未満である。つまり、溝３８１Ｄが延びた方向において、溝３８１Ｄの長さＬ２４は、側面３８の辺３８８の長さＬ１０よりもわずかに短い。
【００７７】
本変形例によれば、溝３７１Ｄ、３８１Ｄが延びた方向に沿ってみたとき、あるいは鏡３Ｄの側面３７、３８の辺３７８、３８８に沿ってみたときに、鏡３Ｄの側面３７、３８の両端部には、溝３７１Ｄ、３８１Ｄが設けられていない残留部３７５、３８５が設けられている。そのため、鏡３Ｄの側面３７、３８に溝３７１Ｄ、３８１Ｄが設けられ、固定具４Ａの係止部４１Ａが鏡３Ｄの溝３７１Ｄ、３８１Ｄに係止されていても、鏡３Ｄの利用者は、溝３７１Ｄ、３８１Ｄ、および固定具４Ａの係止部４１Ａを鏡３Ｄの側面３９１、３９２から認識し難い。また、図８〜図１０に関して前述した本実施形態に係る鏡の固定構造２Ａの効果と同様の効果が得られる。
【００７８】
図１３は、本実施形態の固定具の第１変形例を説明する断面図である。
なお、図１３は、図２に表した切断面Ａ１−Ａ１における断面図に相当する。
本変形例の固定具４Ｃは、係止部４１Ｃを有する。係止部４１Ｃは、第１係止部４１１と、第２係止部４１２と、を有する。図１３に表したように、鏡３Ａの側面３７に形成された溝３７１Ａが延びた方向に沿ってみたときに、第１係止部４１１は、鏡３Ａの中央（側面３７と側面３８との間の中心部）に向かって突出した湾曲形状を有する。第２係止部４１２は、湾曲形状を有する第１係止部４１１に接続され、第１係止部４１１から鏡３Ａの中央に向かって延びている。その他の構造は、図１〜図１２に関して前述した固定具４、４Ａの構造と同様である。
【００７９】
鏡３Ａの側面３７には、溝３７１Ａが設けられている。溝３７１Ａは、第１係止部４１１が嵌まる第１溝部３７６と、第２係止部４１２が嵌まる第２溝部３７７と、を有する。すなわち、溝３７１Ａが延びた方向に沿ってみたときに、第１溝部３７６は、鏡３Ａの中央に向かって突出した湾曲形状を有する。また、第２溝部３７７は、湾曲形状を有する第１溝部３７６に接続され、第１溝部３７６から鏡３Ａの中央に向かって延びている。第１係止部４１１が第１溝部３７６に嵌まり、第２係止部４１２が第２溝部３７７に嵌まることにより、本変形例の固定具４Ｃの係止部４１Ｃは、鏡３Ａの溝３７１Ａに嵌まるとともに係止される。
【００８０】
本変形例の固定具４Ｃによれば、係止部４１Ｃが湾曲形状の第１係止部４１１を有するため、図１〜図１２に関して前述した係止部４１、４１Ａと比較して、係止部４１Ｃと溝３７１Ａとの接触面積が増加する。これにより、溝３７１Ａに対する係止部４１Ｃの嵌まりやすさや押さえやすさを確保しつつ、鏡３Ａが割れたり欠けたりすることを抑えることができる。また、係止部４１Ｃが第２係止部４１２を有するため、係止部４１Ｃによる鏡３Ａの保持力や固定力を確保することができる。
【００８１】
図１４は、本実施形態の固定具の第２変形例を説明する断面図である。
なお、図１４は、図２に表した切断面Ａ１−Ａ１における断面図に相当する。
本変形例の固定具４Ｄは、係止部４１Ｄを有する。図１４に表したように、鏡３Ｂの側面３７に形成された溝３７１Ｂが延びた方向に沿ってみたときに、係止部４１Ｄは、鏡３Ｂの中央（側面３７と側面３８との間の中心部）に向かって突出した湾曲形状を有する。すなわち、本変形例の係止部４１Ｄは、図１３に関して前述した係止部４１Ｃの第１係止部４１１と同様の形状を有する。その他の構造は、図１〜図１２に関して前述した固定具４、４Ａの構造と同様である。
【００８２】
鏡３Ｂの側面３７には、溝３７１Ｂが設けられている。溝３７１Ｂは、係止部４１Ｄが嵌まる形状を有する。すなわち、溝３７１Ｂが延びた方向に沿ってみたときに、溝３７１Ｂは、鏡３Ｂの中央に向かって突出した湾曲形状を有する。本変形例の固定具４Ｄの係止部４１Ｄは、鏡３Ｂの溝３７１Ｂに嵌まるとともに係止される。
【００８３】
本変形例の固定具４Ｄによれば、係止部４１Ｄが湾曲形状を有するため、図１〜図１２に関して前述した係止部４１、４１Ａと比較して、係止部４１Ｄと溝３７１Ｂとの接触面積が増加する。これにより、溝３７１Ｂに対する係止部４１Ｄの嵌まりやすさや押さえやすさを確保しつつ、鏡３Ｂが割れたり欠けたりすることを抑えることができる。
【００８４】
以上、本発明の実施形態について説明した。しかし、本発明は、上記実施形態に限定されず、特許請求の範囲を逸脱しない範囲で種々の変更を行うことができる。上記実施形態の構成は、その一部を省略したり、上記とは異なるように任意に組み合わせたりすることができる。
【符号の説明】
【００８５】
２、２Ａ、２Ｂ、２Ｃ・・・固定構造、  ３、３Ａ、３Ｂ、３Ｃ、３Ｄ・・・鏡、  ４、４Ａ、４Ｃ、４Ｄ・・・固定具、  ５・・・締結部材、  ９・・・被固定部材、  ３１・・・ガラス、  ３２・・・銀層、  ３３・・・銅層、  ３４・・・バックコート層、  ３５・・・裏面、  ３６・・・表面、  ３７、３８・・・側面、  ４１、４１Ａ、４１Ｃ、４１Ｄ・・・係止部、  ４２・・・端部、  ４２Ａ・・・固定部、  ４３・・・端部、  ４３Ａ・・・接続部、  ９１・・・被固定面、  ３１１・・・反射面、  ３７１、３７１Ａ、３７１Ｂ、３７１Ｃ、３７１Ｄ・・・溝、  ３７２、３７３・・・面取り部、  ３７４・・・交差点、  ３７５・・・残留部、  ３７６・・・第１溝部、  ３７７・・・第２溝部、  ３７８・・・辺、  ３７９ａ、３７９ｂ・・・交差点、  ３８１、３８１Ｃ、３８１Ｄ・・・溝、  ３８２・・・面取り部、  ３８５・・・残留部、  ３８８・・・辺、  ３９１、３９２・・・側面、  ４１１・・・第１係止部、  ４１２・・・第２係止部、  Ａ３１・・・面取り角、  Ｌ１、Ｌ２、Ｌ３、Ｌ４・・・厚さ、  Ｌ５、Ｌ６・・・長さ、  Ｌ７・・・高さ（線径）、  Ｌ８・・・深さ、  Ｌ９、Ｌ１０・・・長さ、  Ｌ１１・・・距離（面取り深さ）、  Ｌ１２・・・距離（厚さ）、  Ｌ２１、Ｌ２２、Ｌ２３、Ｌ２４・・・長さ
【図１】
2019122750.tif 000003
【図２】
2019122750.tif 000004
【図３】
2019122750.tif 000005
【図４】
2019122750.tif 000006
【図５】
2019122750.tif 000007
【図６】
2019122750.tif 000008
【図７】
2019122750.tif 000009
【図８】
2019122750.tif 000010
【図９】
2019122750.tif 000011
【図１０】
2019122750.tif 000012
【図１１】
2019122750.tif 000013
【図１２】
2019122750.tif 000014
【図１３】
2019122750.tif 000015
【図１４】
2019122750.tif 000016